【手続補正書】
【提出日】平成18年12月18日(2006.12.18)
【手続補正１】
【補正対象書類名】明細書
【補正対象項目名】全文
【補正方法】変更
【補正の内容】
【書類名】          明細書
【発明の名称】人工歯
【特許請求の範囲】
【請求項１】臼歯の人工歯を形成する断面が、基本的には咬合面部（２５１）と結合部（２５２）との間に、可塑性緩衝材（２５３）からなる調節層（２５４）を設けて、咬合圧にて沈下移動する咬合面部（２５１）が安定な咬合関係を得た場所で、可塑性緩衝材が硬化して人工歯全体が硬質な材質に変化することを特徴とする臼歯の人工歯。
【請求項２】前歯の人工歯を形成する断面が、基本的には歯冠部（３１０）と結合部（３１１）との間に、可塑性緩衝材（３１２）からなる調節層（３１３）を設けて、咬合圧にて沈下移動する歯冠部（３１０）が安定な咬合関係を得た場所で、可塑性緩衝材が硬化して人工歯全体が硬質な材質に変化することを特徴とする前歯の人工歯。
【請求項３】臼歯の人工歯を形成する断面が、基本的には咬合面部（３５０）と結合部（３５１）との間に、可塑性緩衝材（３５２）からなる調節層（３５３）と伸縮自在な緩衝材からなる緩圧層部（３５４）を設けて、咬合圧にて沈下移動する咬合面部（３５０）が安定な咬合関係を得た場所で可塑性緩衝材（３５２）が、まず第一に歪みを吸収したまま硬化する調節層（３５３）と、伸縮自在なる緩衝材からなる緩圧層部（３５４）が、咬合面部（３５０）と結合部（３５１）との間に設けたことを特徴とする臼歯の人工歯。
【請求項４】前歯の人工歯を形成する断面が、基本的には歯冠部（４００）と結合部（４０１）との間に、可塑性緩衝材（４０２）からなる調節層（４０３）と伸縮自在な緩衝材からなる緩圧層部（４０４）を設けて、咬合圧にて沈下する歯冠部（４００）が安定な咬合関係を得た場所で可塑性緩衝材がまず第一に歪みを吸収したまま硬化する調節層（４０３）と伸縮自在なる緩衝材からなる緩圧層部（４０４）が歯冠部（４００）と結合部（４０１）との間に設けたことを特徴とする前歯の人工歯。
【請求項５】可塑性緩衝材の硬化と軟化が二種類の異なる周波数の光照射を吸収することにより自在に行なわれることを特徴とする請求項１，２，３及び４記載の人工歯。
【請求項６】可塑性緩衝材が口腔外の高温で軟化して、口腔内温度で硬化することを特徴とする請求項１，２，３及び４の人工歯。
【請求項７】臼歯の人工歯を形成する断面が、基本的には咬合面部と結合部との間に、中心咬合位で一次硬化する一次硬化型可塑性緩衝材（４５０）と、側方運動，前方運動時の咬頭緩衝を生じない運動範囲を確保した時に二次硬化する二次硬化型可塑性緩衝材（４５１）を設けたことを特徴とする臼歯の人工歯。
【請求項８】前歯の人工歯を形成する断面が、基本的には歯冠部と結合部との間に、中心咬合位で一次硬化する一次硬化型可塑性緩衝材と、側方運動，前方運動時の咬頭緩衝を生じない運動範囲を確保した時に二次硬化する二次硬化型可塑性緩衝材を設けたことを特徴とする臼歯の人工歯。
【請求項９】一次硬化型可塑性緩衝材と、二次硬化型可塑性緩衝材とが、異なる周波数の光照射の光線を吸収することにより硬化が別々に可能であるとと喪に、前記異なる周波数とは別の周波数の光照射の光線を吸収することで軟化も可能である、請求項７及び８記載の人工歯。
【請求項１０】一次硬化型可塑性緩衝材と、二次硬化型可塑性緩衝材とが、口腔内温度では硬化して、口腔外での高温状態で、一次硬化型可塑性緩衝材が軟化して、低温状態で二次硬化型緩衝材が軟化を可能とする請求項７及び８記載の人工歯。
【発明の詳細な説明】
【発明の属する技術分野】
【０００１】
本発明は、人工歯の咬合調節に関する。
【従来の技術】
【０００２】
従来、ＰＣＴ／ＪＰ９８／０３０２１（０６．０７．１９９８）Ｕｊｉ  Ｈｉｄｅｙｏ  が知られている。
【発明が解決しようとする課題】
【０００３】
第一に、患者自身の咬合を利用して咬合調節が出来ないか。
【課題を解決するための手段】
【０００４】
第一の目的のために、適正な咬合になるまで可塑性緩衝材が弾性変形して安定した咬合を得た所で可塑性緩衝材が歪みを吸収したまま硬化して、人工歯が硬質な材質のみに変化する構成とした。
さらに、可塑性緩衝材が口腔内温度で硬化して温度条件により軟化するもの、異なる種類の光照射により硬化と軟化を自在とするもの、など咬合調節のために硬化と軟化を自在とする可塑性緩衝材を設けた。
【発明の実施の形態】
【０００５】
発明の実施の形態を実施例に基づき図面に従い説明する。
図１は、咬合面部２５１と結合部２５２との間に、可塑性緩衝材２５３からなる調節層２５４を設けた。
【０００６】
図２は、歯冠部３１０と結合部３１１との間に、可塑性緩衝材３１２からなる調節層３１３を設けた。
【０００７】
図３は、咬合面部３５０と結合部３５１との間に、可塑性緩衝材３５２からなる調節層３５３と、緩圧層部３５４を設けた。
【０００８】
図４は、歯冠部４００と結合部との間に、可塑性緩衝材４０２からなる調節層４０３と、緩圧層部４０４を設けた。
【０００９】
図５は、中心咬合位で一時硬化型可塑性緩衝材４５０が硬化して、安定した側方運動による咬合関係を得た時に、二次硬化型可塑性緩衝材４５１が硬化して人工歯を形成する。一次硬化型可塑性緩衝材４５０と二次硬化型可塑性緩衝材の４５１の硬化の差異については、硬化時間の異なるもの、硬化温度の異なるもので口腔内温度で硬化して口腔外の高温，低温で軟化するもの、光照射の波長の異なるもので硬化したり軟化させたりするものなどがあるが、その他にもどのようなものでも良い。
【発明の効果】
【００１０】
本発明は、以上説明の構成となるので以下の効果を得る。
可塑性緩衝材を設けて安定した咬合になった所で硬化するので安定した咬合を得ることが出来る。
可塑性緩衝材と緩圧層部の構成では安定した一で可塑性緩衝材が硬化するのでより安定した咬合を得ることが出来る。
一次硬化型可塑性緩衝材が中心咬合位で硬化して、二次硬化型可塑性緩衝材が側方運動、前方運動で硬化させるため、より精密で安定した咬合関係を得ることが出来る。
口腔内温度で硬化する可塑性緩衝材を設けた人工歯を高温の湯に入れて軟化させる、口腔内に戻し安定した咬合の所で硬化させて使用する、従って患者自身で簡単に安定な咬合を得ることが出来る。
【００１１】
本発明の人工歯と制御装置は歯科治療に有用である。
【００１２】
【図面の簡単な説明】
【図１】臼歯人工歯の縦断面図である。
【図２】前歯人工歯の縦断面図である。
【図３】臼歯人工歯の縦断面図である。
【図４】前歯人工歯の縦断面図である。
【図５】臼歯人工歯の縦断面図である。
【００１３】
【符号の説明】
２５１  咬合面部          ４００  歯冠部
２５２  結合部            ４０１  結合部
２５３  可塑性緩衝材      ４０２  可塑性緩衝材
２５４  調節層            ４０３  調節層
３１０  歯冠部            ４０４  緩圧層部
３１１  結合部            ４５０  一次硬化型可塑性緩衝材
３１２  可塑性緩衝材      ４５１  二次硬化型可塑性緩衝材
３１３  調節層
３５０  咬合面部
３５１  結合部
３５２  可塑性緩衝材
３５３  調節層
３５４  緩圧層部
【手続補正２】
【補正対象書類名】図面
【補正対象項目名】全図
【補正方法】変更
【補正の内容】
【書類名】  図面
【図１】
2004337182.tif 000001
【図２】
2004337182.tif 000002
【図３】
2004337182.tif 000003
【図４】
2004337182.tif 000004
【図５】
2004337182.tif 000005